(57)【特許請求の範囲】
【請求項１】
支持架と、位置決めフレーム体と、調整台座とを含み、
前記支持架には第一端部及び第二端部を備え；
前記位置決めフレーム体は、フレームを含み、少なくとも二つの枠縁背面に、前後に移動して位置決めすることのできる調整板を結合し；
前記調整板の頂上面前縁に止め板を延伸し、且つ調整板の上に保持部品を固定し、フレームの各枠縁の中にそれぞれ可動遮蔽板を設置し、この可動遮蔽板はフレーム正面に突露した制御部品によって移動する位置を制御されることができ；
位置決めフレーム体は、支持架の第一端部に結合・位置決めされ；
前記調整台座は、支持架の第二端部に結合され、且つ支持架において前後位置の移動を行うことが出来、且つ撮影装置を調整台座の上に固定し、撮影装置と位置決めフレーム体とが対向設置され、
前記保持部品には相互に枢接されたシャフト及び支え部品が含まれ、前記シャフトは支え部品を下へ押し付けたり、上へ移動させたりして制御できることを特徴とする、
ＬＣＤパネルを固定する検査器具。
【請求項２】
前記支持架には、少なくとも一本以上の棒軸を含むことを特徴とする請求項１に記載のＬＣＤパネルを固定する検査器具。
【請求項３】
前記調整板は、フレームの下枠縁及び左右枠縁の背面に結合し、且つ下枠縁背面の調整板頂上面に少なくとも一個以上のフランジを設け、ＬＣＤパネルが調整板の頂上面との間隔を保ち、
ＬＣＤパネルの接続線を収容できるようにしたことを特徴とする請求項１に記載のＬＣＤパネルを固定する検査器具。
【請求項４】
前記位置決めフレーム体は、更に固定座を含み、前記固定座はフレームと相互枢接され、フレームを固定座において支持架の方へ反転できるようにしたことを特徴とする請求項１に記載のＬＣＤパネルを固定する検査器具。
【請求項５】
支持架と、位置決めフレーム体と、調整台座とを含み、
前記支持架は、第一端部及び第二端部を備え；
前記位置決めフレーム体は、相互に枢接された固定座及びフレームを含み、前記フレームの少なくとも二つの枠縁の背面にそれぞれ枠縁背面において位置を移動することの出来る調整板を結合し、前記調整板頂上面の前縁近くに止め板を延伸し、且つ調製板の上に保持部品を固定し、フレームの各枠縁の中にはそれぞれ可動遮蔽板を設け、前記可動遮蔽板はフレームの各枠縁正面に突露した制御部品によって移動する位置を制御されることができ；
位置決めフレーム体の固定座は、支持架の第一端部に位置決め結合され；
前記調整台座は、底座を含み、前記底座頂上面に調整スロットを設け、
前記調整スロットに置き台を結合し、前記置き台は調整スロットの中で水平又は垂直に移動でき；底座は支持架の第二端部に結合され、底座が支持架の上で移動し、且つ撮影装置を置き台の上に固定し、
撮影装置と位置決めフレーム体のフレームが対向設置され、
前記保持部品には、相互に枢接したシャフト及び支え部品を含み、前記シャフトは支え部品の上下移動を制御出来るようにしたことを特徴とする、
ＬＣＤパネルを固定する検査器具。
【請求項６】
更に支持架の第一端部の近くに結合された支え台座を含み、前記支え台座は支持架の第一端部の近くに結合され、且つ支持架の上で移動でき、位置決めフレーム体のフレームが支持架の方へ反転したとき、支え台座に当接することが出来ることを特徴とする請求項５に記載のＬＣＤパネルを固定する検査器具。
【請求項７】
前記調整板は、フレームの下枠縁及び左右枠縁の背面に結合され、且つ下枠縁背面の調整板頂上面に少なくとも一個以上のフランジを設け、ＬＣＤパネルが調整板の頂上面との間隔を保ち、ＬＣＤパネルの接続線を前記間隔に収容できるようにしたことを特徴とする請求項５に記載のＬＣＤパネルを固定する検査器具。
【請求項８】
前記位置決めフレーム体の固定座の上に結合穴を設け、前記結合穴に固定ネジを設置し、結合穴を支持架の第一端部にセットし、且つ固定ネジによって固定座を支持架の上に位置決めしたことを特徴とする請求項５に記載のＬＣＤパネルを固定する検査器具。
【請求項９】
前記調整板の上に調整スロットを設け、締め付け部品によって調整スロットを貫通し、調整板をフレームの枠縁背面に締め付け、且つ調整スロットの長さによって調整板位置の調整を行うことを特徴とする請求項５に記載のＬＣＤパネルを固定する検査器具。
【請求項１０】
前記フレームの枠縁正面にスライド溝を設け、前記スライド溝は可動遮蔽板の制御部品を結合するためで、制御部品がスライド溝において移動し、更に可動遮蔽板を連動させ、可動遮蔽板をフレームの枠縁の中に隠したり、フレームの枠口に突露させたり出来るようにしたことを特徴とする請求項５に記載のＬＣＤパネルを固定する検査器具。
【請求項１１】
前記調整板台座の底座の上に固定ネジを設けた結合穴を設置し、底座の結合穴を支持架の第二端部にセットし、前記底座が支持架の上で移動できるようにし、且つ所要の位置まで調整した後、更に固定ネジによって底座を支持架の上に固定することを特徴とする請求項５に記載のＬＣＤパネルを固定する検査器具。
【請求項１２】
前記底座の辺縁に水平調整ツマミを設け、前記水平調整ツマミは置き台を底座の上で水平移動させるためのものであることを特徴とする請求項５に記載のＬＣＤパネルを固定する検査器具。
【発明の詳細な説明】
【技術分野】
【０００１】
本案発明は、ＬＣＤパネルを固定する検査機具、特に、ＬＣＤパネルを位置決めフレーム体の上に架設して位置決めし、撮影機で毎回撮影した画像がすべて同じサイズに統一され、検査モジュールによって品質の照合比較を行い易いＬＣＤパネルを固定する検査機具に関するものである。
【背景技術】
【０００２】
製造を完成したＬＣＤパネルの中には、必ず良品及び不良品が含まれ、不良ＬＣＤパネルが市場に出回って、メーカーの信用に関わることを避けるため、製品の出荷前に、メーカーはみな品質管理の人員によって不良ＬＣＤパネルを選別している。そこで、品質管理人員は、製品の製造過程で、相当重要な役割をになっていると言える。
ところが、一般品質管理人員は製品検査の過程において、通常下記のような欠点が生じやすい。
品質管理人員は、ＬＣＤパネルを手で持って、肉眼で直接ＬＣＤパネルを検査して瑕疵があるかどうかを観察するが、長時間観察すると、目の疲れを招き、品質管理の効果が弱まり、出荷製品の品質に影響する。
若し製品に微細な瑕疵がある場合、肉眼でその瑕疵を発見することは容易でなく、検査結果の誤差率がかなり高くなる。
これで分かるように、上述従来の検査方式には、尚幾多の欠点があり、よい設計とは言い難く、改良が待たれていた。
本発明者は、上述従来の検査方式に派生する各項の欠点に鑑み、極力新規改善を試み、且つ長年苦心研鑽の末、ついに本件ＬＣＤパネルを固定する検査器具の開発に成功した。
【発明の開示】
【発明が解決しようとする課題】
【０００３】
本発明の目的は、少なくとも以下に掲げる目的の一つ以上を目的とするものである。
＜１＞検査対象ＬＣＤパネルを位置決めフレーム体に固定し、且つ台座上の撮影機具を調整することによってＬＣＤパネル画像の撮影を行い、撮影された画像がすべて同じサイズに統一され、且つ撮影された画像を検査モジュールへ伝送して品質の照合比較及び分析を行うことのできるＬＣＤパネルを固定する検査器具を提供すること。
＜２＞位置決めフレーム体上に調整板を設置し、位置決めフレーム体に異なるサイズのＬＣＤパネルを架設・位置決めすることが出来るＬＣＤパネルを固定する検査器具を提供すること。
＜３＞位置決めフレーム体の中にＬＣＤパネルの金属枠縁を遮蔽できる可動遮蔽板を設置し、明確にパネル表示区域および枠縁の境界線を区別し、金属枠縁の画像が表示区域の画像と混同されて製品品質に対する判断・分析に影響するのを避けることが出来るＬＣＤパネルを固定する検査器具を提供すること。
【課題を解決するための手段】
【０００４】
上記発明目的を達成できるＬＣＤパネルを固定する検査器具は、位置決めフレーム体と、支持架と、置き台及び調整台座を含み；前記位置決めフレーム体及び調整台座は、支持架の両端部に位置決めされ、位置決めフレーム体及び調整台座が対向するように設置され、且つ置き台を支持架の上に設置し、位置決めフレーム体及び調整台座の間に位置するようにし；前記調整台座は、支持架の上で前・後に調整することが出来、撮影機は前記調整台座の上に固定・連結されており；前記位置決めフレーム体には、固定座と、調整板と、位置決め部と、保持部品と、可動遮蔽板と、を含み、前記固定座の上にフレームが枢接され、フレームが台座の上で下方へ反転し、且つ置き台に当接し、フレームと支持架が平行して設置されるようにし；又、フレームの背面周縁に調整板を設置し、前記調整板には位置決め部が設置され、各調整板毎に距離の調整を行うことによって、各種サイズのＬＣＤパネルを位置決め架設することが出来；且つフレーム背面の保持部品によって、ＬＣＤパネルを保持し、フレームが立てれた時、前記ＬＣＤパネルをフレームの背面に位置決めすることが出来、且つフレーム内の周縁に可動遮蔽板を設置し、遮蔽板を必要に応じてフレームの中に露出又は隠蔽させ、可動遮蔽板によってＬＣＤパネル周縁の金属枠縁を遮蔽し、明確にパネル表示区域および枠縁の境界線を区別し、撮影機がＬＣＤパネルを撮影した時、ＬＣＤパネルの金属枠縁に影響されて、検査モジュールがＬＣＤパネル画像の品質に対して正確な分析及び照合比較が出来なくなることを避ける。
【発明の効果】
【０００５】
本発明に係るＬＣＤパネルを固定する検査器具は、その他従来の技術に比べ、下記のような長所を一つ以上有するものである。
＜１＞検査対象としてのＬＣＤパネルを位置決めフレーム体の上に固定し、且つ台座上の撮影機具を調整してＬＣＤパネルの画像を摂り、撮影された画像のサイズをすべて統一し、且つ撮影された画像を検査モジュールへ伝送して品質の照合比較及び分析を行う。
＜２＞位置決めフレーム体に調整板を設置して、位置決めフレーム体に異なるサイズのＬＣＤパネルを架設・位置決めすることが出来る。
＜３＞位置決めフレーム体に可動遮蔽板を設置し、此れによって金属枠縁を遮蔽して金属枠縁が製品品質の判断分析に影響することを避けられる。
上述した詳細な説明は、本発明に対する実行可能な実施例の具体的説明であり、但しこれらの実施例は、本発明の特許請求の範囲を制限するものではなく、凡そ本発明の技芸精神を逸脱せずになされる等価実施又は変更は、すべて本案の特許請求の範囲に含まれるものとする。
上述を総合すると、本案は技術思想の上で確かに創造的であるのみならず、且つ従来の物品に比べ、上述幾多の効能が増進され、既に新規性及び進歩性の法定発明特許の要件を十分満たしておるものとして、茲に法によって請求する次第である。
【発明を実施するための最良の形態】
【０００６】
[実施例]
図１及び図２は、本案発明に係るＬＣＤパネルを固定する検査器具であり、主として、
少なくとも一本以上の棒軸を含み、第一端部１１及び第二端部１２を有する支持架１と、
支持架１にセットされ、且つ第一端部１１に近く、支持架１において前後に移動できるようにした支え台座２と、位置決めフレーム体３と、調整台座６と、を含み、
前記位置決めフレーム体３には固定座３１を含み、前記固定座３１の上に結合穴を設置し、前記結合穴に固定固定ネジ３２を設け、且つ固定座３１の頂上面にフレーム３３を枢接し、前記フレーム３３は固定座３１において下方へ反転することが出来、且つフレームの下枠縁及び左右枠縁の背面にそれぞれ調整板４を結合し、前記調整板４頂上面の前端縁に近いところに止め板４１を延伸し、且つ下枠縁背面の調整板４の頂上面に一個以上のフランジ４２をを設け、又前記調整板４には調整スロット４３を設置し、締め付け部品４４によって調整スロット４３を貫通し、調整板４をフレーム３３の枠縁背面に締め付け、且つ調整スロット４３の長さによって調整板４の位置を調整する、又、左右枠縁の調整板４に保持部品５を固定し、前記保持部品５には相互に枢接するシャフト５１及び支え部品５２を含み、前記シャフト５１は支え部品５２を制御して下へ押さえたり上へ移動させたりすることが出来る；前記フレーム３３の各枠縁の中にはそれぞれ可動遮蔽板３４を設置し、前記可動遮蔽板３４はフレーム３３の正面に突露した制御部品３５と固定され、前記制御部品３５はフレーム３３正面のスライド溝３６の中に突露しており、制御部品３５がスライド溝３６において位置を移動し、更に可動遮蔽板３４を連動させ、可動遮蔽板３４がフレーム３３の枠縁の中に隠蔽又はフレーム３３の枠口に突露できるようにする；尚、前記可動遮蔽板３４は黒色又は濃色であるのが最も好ましい；位置決めフレーム体３の固定座３１の結合穴を支持架１の第一端部１１にセットし、且つ固定ネジ３２によって支持架１及び固定座３１を締め付けて一体となし、フレーム３３が支持架１の方へ反転し、且つ支え台座２に当接し、フレーム３３が支え台座２に支えられ、支持架１と平行設置されるようにする；
前記調製台座６は、結合穴とその上に固定ネジ６２を設けた底座６１を含み、且つ底座６１頂上面に置き台６４を結合した調整スロット６３を設け、前記置き台６４は底座６１辺縁の水平調整ツマミ６５と連結することによって、調整ツマミ６５が置き台６４を調整スロット６３において移動させる距離を制御し、且つ前記置き台６４の上には垂直調整ツマミ（図示せず）を設け、垂直調整ツマミによって置き台６４の上下位置を制御できるようにする；前記底座６１の結合穴を支持架１の第二端部１２にセットし、底座６１が支持架１の上で移動できるようにし、且つ必要な位置に調整した後、更に固定ネジ６２によって底座６１を支持架１に固定する。
図３Ａ，Ｂ及び図４Ａ乃至Ｆは、本案発明の操作略図である、撮影装置７を調整台座６の置き台６４に固定し、撮影装置７と位置決めフレーム体３のフレーム３３の枠口が対向設置され、且つ調整台座６が支持架の上で移動できる特性によって、撮影装置７の撮影距離を調整し、更に水平調整ツマミ６５及び垂直調整ツマミによって撮影装置７の水平位置及び垂直位置の微調整を行い、撮影装置７が位置決めフレーム体３のフレーム３３上の物品画像を正確に撮れるようにする。
ＬＣＤパネル８を位置決めフレーム体３のフレーム３３の上に設置する場合、先ず位置決めフレーム体３のフレーム３３を下へ反転させ、支持架３３を固定座３１に当接させ、且つＬＣＤパネル８のサイズに従って調整板４の位置を調整することによって、ＬＣＤパネル８を調整板４の上に置くと共に、調整板頂上面の止め板４１で保持する、又、ＬＣＤパネル８のスクリーンはフレーム体３３の枠口に向かい、ＬＣＤパネル８の下枠縁が下調整板４頂上面のフランジ４２に突き当たることによって、ＬＣＤパネル８の下枠縁と下調整板４の頂上面に間隔を保たせて、ＬＣＤパネル８の接続線８１をこの間隔に収容し、ＬＣＤパネル８の接続線８１が圧折されるのを避け、更に保持部品５のシャフト５１によって支え部品５２を下へ押し、支え部品５２がＬＣＤパネル８の背面を支えてフレーム体３３の背面に位置決めし、更にフレーム体３３を立てて撮影装置７と対向設置させる、撮影装置７がＬＣＤパネル８の金属枠縁８２を一緒に撮影して検査モジュール９が間違って判断することを避けるため、フレーム体３３正面の制御部品３５によってフレーム体３３周辺枠縁の各可動遮蔽板３４をフレーム体３３の枠口に突露させ、可動遮蔽板３４がＬＣＤパネル８の金属枠縁８２を遮蔽できるようにし、パネル表示区域とフレームの境界線を明確に区別し、撮影装置７がＬＣＤパネル８の表示スクリーン画像のみを撮影し、且つ画像を検査モジュールへ伝送して品質の照合比較及び分析判断を行う。
【図面の簡単な説明】
【０００７】
【図１】本発明に係るＬＣＤパネルを固定する検査器具の斜視略図である。
【図２】本発明に係るＬＣＤパネルを固定する検査器具の斜視略図である。
【図３Ａ】本発明に係るＬＣＤパネルを固定する検査器具の局部操作略図である。
【図３Ｂ】本発明に係るＬＣＤパネルを固定する検査器具の局部操作略図である。
【図４Ａ】本発明に係るＬＣＤパネルを固定する検査器具の操作状態図である。
【図４Ｂ】本発明に係るＬＣＤパネルを固定する検査器具の操作状態図である。
【図４Ｃ】本発明に係るＬＣＤパネルを固定する検査器具の操作状態図である。
【図４Ｄ】本発明に係るＬＣＤパネルを固定する検査器具の操作状態図である。
【図４Ｅ】本発明に係るＬＣＤパネルを固定する検査器具の操作状態図である。
【図４Ｆ】本発明に係るＬＣＤパネルを固定する検査器具の操作状態図である。
【符号の説明】
【０００８】
1              支持架
１１              第一端部
１２              第二端部
２  支え台座
３  位置決めフレーム体
３１              固定座
３２              固定ネジ
３３              フレーム
３４              可動遮蔽板
３５              制御部品
３６  スライド溝
４  調整板
４１              止め板
４２              フランジ
４３              調整スロット
４４              締め付け部品
５  保持部品
５１              シャフト
５２              支え部品      
６  調整台座
６１              底座
６２              固定ネジ
６３              調整スロット
６４              置き台
６５              水平調整ツマミ
７  撮影装置
８  ＬＣＤパネル
８１              接続線
８２              金属枠縁
９            検査モジュール
【図１】
0004691577.tif 000002
【図２】
0004691577.tif 000003
【図３Ａ】
0004691577.tif 000004
【図３Ｂ】
0004691577.tif 000005
【図４Ａ】
0004691577.tif 000006
【図４Ｂ】
0004691577.tif 000007
【図４Ｃ】
0004691577.tif 000008
【図４Ｄ】
0004691577.tif 000009
【図４Ｅ】
0004691577.tif 000010
【図４Ｆ】
0004691577.tif 000011